(57)【特許請求の範囲】
【請求項１】
遊技機がその内側に固定された所定の幅を有する矩形とされた枠体を、当該枠体の下面をその上側の面に当接させた状態で載置することのできるテーブルと、前記テーブルに載置された枠体の上方に位置する木製の水平材とを備えている島に取付けて用いられるものであり、前記テーブル上の載置面に載置された前記枠体の上面を下方向に押圧することにより、前記枠体の上面と下面を上下方向から挟み込んで前記島に固定することができるようにされている遊技機着脱装置であって、
前記水平材の上側に取付けられる本体部と、
上下方向に移動を行えるようにされ、上側に位置する第１位置と、下側に位置する第２位置の少なくとも２箇所で固定できるようにされており、棒状に形成されている、前記枠体の上面の両端部近辺に対応する位置に２つ設けられている前記本体部に取付けられた可動部材と、
その操作により前記可動部材を前記第１位置と前記第２位置の間で移動させることが可能とされた１つの操作手段と、
を備えており、
前記可動部材は、前記第２位置に位置するときに、その下端に位置する押圧部で前記枠体の上面を押圧できるようにされているとともに、前記水平材に穿たれた孔を通りつつ上下方向の前記移動を行うようになっており、且つ前記操作手段の操作によりその双方が同時に前記第１位置と前記第２位置の間で移動するようになっているとともに、
前記第２位置にある前記押圧部を下方に付勢し、前記枠体の上下方向の大きさについての誤差を吸収することで、前記第２位置に位置する前記押圧部が前記枠体の上面を確実に押圧できるように前記第２位置に位置する前記押圧部を上下方向に適宜移動させることのできる弾性体を有している、
遊技機着脱装置。
【請求項２】
前記押圧部には、前記可動部材が前記第２位置にあるときに、前記枠体の前記上面に食い込む突出片が設けられている、
請求項１に記載の遊技機着脱装置。
【請求項３】
前記本体部は、前記水平材の上側に固定的に取付けられるベース部材と、前記ベース部材に対して前後動を行えるようにされた主本体部と、前記主本体部の前記ベース部材に対する前後位置を任意の位置に位置決めする位置決め手段とを備えているとともに、
前記可動部材は、前記主本体部に取付けられており、前後方向に対して所定の長さを与えられた前記孔を貫通した状態で、前記主本体部の前後動に応じて前後動を行えるようになっている、
請求項１又は２に記載の遊技機着脱装置。
【請求項４】
前記枠体の上端付近の後面に当接して前記枠体を後側から支持する当接部材を備えている、
請求項１〜３のいずれかに記載の遊技機着脱装置。
【請求項５】
前記枠体の上端付近の後面に当接して前記枠体を後側から支持する当接部材を備えており、
前記当接部材は、前記主本体部に対して前後動を行えるようにされている、
請求項３記載の遊技機着脱装置。
【発明の詳細な説明】
【技術分野】
【０００１】
本発明は、通称で「島」と呼ばれる遊技機設置台ユニットに、パチンコ遊技機、或いはパチスロ遊技機（以下、これらを単に「遊技機」という場合がある。）を取付けるための取付け技術に関する。
【背景技術】
【０００２】
遊技機は、一般的に、島と呼ばれる遊技機設置台ユニットに取付けて使用される。より詳細には、遊技機は、通常は４枚の板材を矩形に組合わせて作られる所定幅の枠体の内側に固定した後、その枠体を島に固定することにより、島に取付けられる。
従来、枠体の島への取付は、島のテーブルの上に枠体を載置した上で、島が木製であるのが通常であるということもあり、釘や木ねじなどを用いて行っている。
【０００３】
しかしながら、釘や木ねじを使用して行う従来の枠体の島への固定は、固定の際にも、一度島へ固定した枠体を島から取外す際にも手間がかかる。島に取付けられた後においても遊技機はその傾斜角度などに調整の必要が生じる場合もあるので、枠体の島への固定、取外しの手間はばかにならない。
【０００４】
このような点を考慮し、本願出願人は、特願２００５−１９４４５３（特開２００７−７２９６）に開示の発明を行った。
この出願に開示されるのは、遊技機が固定された枠体を、当該枠体の下面をその上側の面に当接させた状態で載置することのできるテーブルと、テーブルに載置された枠体の上方に位置する水平材とを備えている島に取付けて用いられる遊技機着脱装置である。この遊技機着脱装置は、上述の水平材の下面に取付けられる本体と、本体に取付けられた、上下動を行うことのできる可動部材とを備えている。可動部材が下がると可動部材の下端は枠体の上面に押圧される。これにより、枠体はテーブルと可動部材により、上下から挟み込まれた状態で島に固定されることになる。
【０００５】
上述の技術は、遊技機を島に着脱する際の手間を減少させるものである。
しかしながら、上述の遊技機着脱装置は、一般的な島には対応しにくい場合がある。
上述の遊技機着脱装置は、水平材の下面に取付けられるものとされている。しかし、一般的な島の水平材は、遊技機を固定の枠体をそのテーブルの上に載置した場合における枠体の上面と水平材の下面の間の隙間が僅かとなるように島に設けられているため、遊技機着脱装置を水平材の下面に取付けることはまず不可能である。
上述の遊技機着脱装置は、従来とは異なる金属製の島に取付けることを念頭に置いて設計されたものであり、島も含めて新たに設計されたという面があったため、そのような島が有する水平材の下方に配置することが可能ではあったが、他方、枠体の島への固定を簡単に行える上述の如き遊技機着脱装置を、広く普及している極一般的な島でも使えるようにしたいという需要が存在するのも事実である。
【発明の開示】
【発明が解決しようとする課題】
【０００６】
本発明は、上述の如き遊技機着脱装置を、一般的な島に取付けて使用できるようにするための技術を提供することを、その課題とする。
【課題を解決するための手段】
【０００７】
本願発明者は、上述の課題を解決するために以下の発明を提案する。
本発明は、遊技機がその内側に固定された所定の幅を有する矩形とされた枠体を、当該枠体の下面をその上側の面に当接させた状態で載置することのできるテーブルと、前記テーブルに載置された枠体の上方に位置する木製の水平材とを備えている島（これは、当然に、汎用の島でもよい。）に取付けて用いられる遊技機着脱装置である。本発明の遊技機着脱装置は、前記テーブル上の載置面に載置された前記枠体の上面を下方向に押圧することにより、前記枠体の上面と下面を上下方向から挟み込んで前記島に固定することができるようにされている。
そして、本発明の遊技機着脱装置は、前記水平材の上側に取付けられる本体部と、上下方向に移動を行えるようにされ、上側に位置する第１位置と、下側に位置する第２位置の少なくとも２箇所で固定できるようにされており、棒状に形成されている前記本体部に取付けられた可動部材と、を備えており、前記可動部材は、前記第２位置に位置するときに、その下端に位置する押圧部で前記枠体の上面を押圧できるようにされているとともに、前記水平材に穿たれた孔を通りつつ上下方向の前記移動を行うようになっている。
この遊技機着脱装置は、従来のものとは異なり、水平材の上側にその本体部が取付けられる。上述したように、汎用の島では、遊技機を固定の枠体をそのテーブルの上に載置した場合における枠体の上面と水平材の下面の間の隙間が僅かしかない状態となるが、本願の遊技機着脱装置は水平材の上側に本体部が取付けられるため、水平材に遊技機着脱装置の本体部を取付けるにあたって困難はない。
本体部が水平材の上側にあるため、本発明の遊技機着脱装置は、どのようにして可動部材で枠体を下方向に押圧できるようにするかが問題となる。本発明では、可動部材が、水平材を貫いた状態で上下動を行うようにすることでこの問題を解消している。水平材に孔を穿つのは、従来の島の大半、特に水平材が木製であることから、特に困難はない。
なお、本願において、上下、前後の概念は、島に取付けられた遊技機の上下、前後に一致させられるものとする。
【０００８】
本発明の遊技機着脱装置は、前記第２位置にある前記押圧部を、下方に付勢する弾性体を有するものであってもよい。
枠体は、その製造の過程で、大きさに関する誤差を有する場合が多い。枠体の大きさに誤差があると、特に、枠体の上下方向の長さが過剰に大きいと、押圧面と、載置面とで、枠体の上面と下面を上下方向から挟み込むという、本願発明における枠体の島への固定を行えない場合が出てくるおそれがある。
そのような場合に、上述の如き弾性体があれば、多少の誤差であれば、弾性体により吸収できることになる。
なお、本願発明における弾性体は、バネ、ゴムなどから適当に選択することができる。
【０００９】
本願発明における可動部材の断面形状は、可動部材が水平材に設けられた孔を貫通した状態で移動可能な限り、どのようなものであってもよい。
可動部材の断面形状は、円形、多角形等、適当に選択できる。可動部材の数は、また、適当に選択することができる。前記可動部材は、例えば、前記枠体の上面の両端部近辺に対応する位置に２つ設けられていてもよい。可動部材が一つであり、可動部材の押圧部が枠体の上面の中心付近を押圧する場合には、その中心付近を中心として枠体が回転してしまうことが考えられる。可動部材を、枠体の上面の両端部近辺に対応する位置に２つ設ければ、そのような枠体の回転を防ぐことができる。なお、可動部材の押圧部は、上述の孔を貫通できない形状、大きさであっても構わない。また、押圧部のうち、枠体と接触する部分は、複数に分割されていても構わない。
前記押圧部には、前記可動部材が前記第２位置にあるときに、前記枠体の前記上面に食い込む突出片が設けられていてもよい。押圧部は、上述したように、載置面との間で枠体を上下から挟み込むものであり重要である。したがって、この押圧部に上述の如き突出片を設けることにより、押圧部の枠体上面に対する食いつきを良くすることが有効となる。古くから用いられている枠体は木製であるから、かかる突出片は枠体よりも硬いもの、例えば金属製とするのがよい。なお、近年では、金属製（殆どの場合アルミ製）の枠体も用いられているが、枠体よりも硬い金属を用いることで、枠体に対して突出片を食い込ませることは可能である。
【００１０】
本発明における前記本体部は、前記水平材の上側に固定的に取付けられるベース部材と、前記ベース部材に対して前後動を行えるようにされた主本体部と、前記主本体部の前記ベース部材に対する前後位置を任意の位置に位置決めする位置決め手段とを備えているとともに、前記可動部材は、前記主本体部に取付けられており、前後方向に対して所定の長さを与えられた前記孔を貫通した状態で、前記主本体部の前後動に応じて前後動を行えるようになっていてもよい。
遊技機は、その傾斜角の大小に応じて釘と玉との絡み方が変化するという性質を有し、遊技機の傾斜角は、遊技機を島に取付ける場合のみならず、遊技機を島に取付けた後においても調整が必要な場合が多い。位置決め手段を備えた上述の如き遊技機着脱装置は、枠体を島に対して固定した後でも、可動部材の前後動によって遊技機の傾斜の調整を行えるようなものとなるので、遊技機の島への着脱の必要性を減らすことができるという点で、遊技機の島への固定における労力を減じる。なお、このような可動部材の前後動を可能とするため、このような遊技機着脱装置が取付けられる水平材に設けられる孔は、可動部材の前後動を許容するような前後方向に一定の長さを持った、スリット状ともいえるものとされることになる。
本発明の例えば主本体部には、前記枠体の上端付近の後面に当接して前記枠体を後側から支持する当接部材を備えていてもよい。このような当接部材があれば、遊技機が取付けられた枠体をテーブルに載せ、当接部材に枠体を当接させることにより、枠体の位置決めを容易に行えることとなるので、遊技機の島への取付け作業の負担軽減に繋がる。当接部材は、主本体部に対して前後動を行えるものとすることができる。そうすることで、枠体の島に対する位置決めをより自由に行えるようになる。
【発明を実施するための最良の形態】
【００１１】
以下に、本発明を実施するための最良の一実施形態を、図面を参照しつつ説明する。
この実施形態における遊技機着脱装置１００を、図１、図２に示す。
図１は、島２００に、枠体３００を固定した状態の遊技機着脱装置１００の正面図である。図２は、同じ状態の遊技機着脱装置１００を示す側面図である。ただし、図１では、図２に示された遊技機の図示を省略している。また、島２００は通常、複数横並びにして用いられるが、図１には、１つの遊技機が取付けられる部分に相当する島の一部のみを示している。
【００１２】
まず、島２００の構成について説明する。
島２００は、この実施形態では、木製である。もっとも、その一部に金属等の他の素材が用いられていてもよいことはいうまでもない。島２００の構成は必ずしも以下に説明したものに限られないが、少なくとも、後述のテーブルと水平板を備えている必要がある。
【００１３】
この実施形態における島２００は、前後方向に伸び平行に配された２本の棒状の基礎材２１０と、基礎材２１０のそれぞれの略中心に接続された上下方向に伸びる柱部材２２０とを備えている。２本の柱部材２２０はその高さ方向の中程同士をテーブル２３０で、また上端同士を水平材２４０で接続されている。テーブル２３０と、水平材２４０と、テーブル２３０及び水平材２４０の間の２本の柱部材２２０とに囲まれた正面から見て矩形の空間が、枠体３００が嵌め込まれるスペースになる。
基礎材２１０、柱部材２２０はいずれも、この実施形態では、断面矩形の木材により構成されている。
基礎材２１０の間には、２本の基礎材２１０を連結する横補強材２１２ａが設けられている。横補強材２１２ａは、この実施形態では板状である。また、この実施形態では、互いに連結された基礎材２１０と柱部材２２０の所定の部位を結び、基礎材２１０と柱部材２２０との間の接続状態を補強する斜め補強材２１２ｂが設けられている。
【００１４】
テーブル２３０は、幅広の板状の部材である。このテーブル２３０の上に、枠体３００が載置される。テーブル２３０は、この実施形態では木製である。
水平材２４０は、板状であり、木製である。水平材２４０の前後方向の幅は、必ずしもこの限りではないが、テーブル２３０の幅よりも小さくされている。この水平材２４０の上側の面に、遊技機着脱装置１００が固定される。水平材２４０には、また、後述の可動部材を通すための後述する孔が２箇所穿たれている。
【００１５】
次に、枠体３００について説明する。枠体３００は、図３の斜視図に示したように構成されている。
この実施形態の枠体３００は、木製である。枠体３００は、４枚の板状の部材を矩形に組合わせてなる。枠体３００を作る上下左右の各部材の幅は、この実施形態では等しくされている。つまり、この実施形態では、枠体３００の前後方向の長さは枠体３００のすべての部分で等しい。また、枠体３００を構成する４枚の板状の部材の厚みは、必ずしもこの限りではないが、上と左右の部材の厚みよりも下の部材の厚みが、大きくなるようにされている。
枠体３００の上側の部材の上側の面が本願発明でいう上面３１０であり、下側の部材の下側の面が本願発明でいう下面３２０である。上面３１０と下面３２０の長さは、２本の柱部材２２０の間隔に略一致するようにされている。
枠体３００の内側の空間には、遊技機４００が嵌め込まれ固定される。かかる遊技機４００の枠体３００に対する固定は、適当な周知技術を用いて行うことができる。
【００１６】
次いで、遊技機着脱装置１００について説明する。
遊技機着脱装置１００は、水平材２４０の上面に取付けられる。遊技機着脱装置１００の水平材２４０への取付は、木ネジ、釘などを用いて適当に行えばよい。
【００１７】
遊技機着脱装置１００は、図４〜図８に示したように構成されている。
図４は、遊技機着脱装置１００の平面図（図中上側が後方である。）、図５は、遊技機着脱装置１００の一端部を拡大して示した斜視図、図６は、遊技機着脱装置１００の内部構造を示す図である。
この実施形態の遊技機着脱装置１００は、ベース部材１１０を備えている。ベース部材１１０は、板状である。この実施形態のベース部材１１０は、水平材２４０の上面よりも一回り小さい矩形の主ベース部１１１と、主ベース部１１１の長さ方向の両端部から後側に延びる固定アーム部１１２とを備えている。主ベース部１１１には、固定用の孔１１１Ａが穿設されている。ベース部材１１０を水平材２４０に載せ、孔１１１Ａに木ネジを打ち込むなどして、ベース部材１１０は水平材２４０に固定されることになる。なお、そのとき、固定アーム部１１２の先端は、水平材２４０の後側に食み出してもよい。主ベース部１１１には、図示を省略するが、後述する２つの可動部材をそれぞれ貫通させるための孔が設けられている。これら孔は、可動部材の前後動を許容するため、前後方向に所定の長さを有している。
固定アーム部１１２には、この実施形態では、図示を省略の孔の穿たれた断面Ｌ字型の固定Ｌ字金具１１２Ａが固定されている。この固定Ｌ字金具１１２Ａには、また、その孔の内側面にネジ切りのされたナット１１２Ｂがその孔と固定Ｌ字金具１１２Ａの孔と位置合わせをさせた状態で固定されている。
【００１８】
ベース部材１１０の上には、本発明の主本体部に相当する収納部材１２０が載せられている。
収納部材１２０は、この実施形態では、断面略矩形の筒状に形成された収納部１２１と、収納部１２１の長さ方向の両端部付近から後方側に延びる平面視で略Ｌ字形状の可動アーム部１２２を備えている。
両可動アーム部１２２の外側の縁部には、平面視Ｌ字型の第１金具１２２Ａと平面視略コの字型の第２金具１２２Ｂの下端が接続されている。第１金具１２２Ａと、第２金具１２２Ｂと可動アーム部１２２の接続は、この実施形態ではロウ付けにより行っている。平面視Ｌ字型の第１金具１２２Ａの可動アーム部１２２の縁に垂直な部分と、平面視略コの字型の第２金具１２２Ｂの可動アーム部１２２の縁に垂直な部分のうち前側のものとは、背中合わせの状態で密接させられている。第１金具１２２Ａと、第２金具１２２Ｂの背中合わせにされた部分には、両者を貫通する図示を省略の孔が設けられている。この孔は、固定アーム部１１２に接続された固定Ｌ字金具１１２Ａに設けられた孔と、同軸となっている。第１金具１２２Ａと、第２金具１２２Ｂの背中合わせにされた部分に設けられた孔と、固定Ｌ字金具１１２Ａに設けられた孔には、それらをまとめて貫くボルト１２３が挿入されている。ボルト１２３は、その外周面にネジ切りのしてあるネジ切り部１２３Ａと、ネジ切り部１２３Ａよりもその径が太くされ、且つその正面から六角レンチ等の工具と係合可能にされた（この実施形態では、六角レンチを挿入可能な凹部が設けられている。）頭部１２３Ｂを備えている。ボルト１２３のネジ切り部１２３Ａは、ナット１１２Ｂと螺合されている。また、第１金具１２２Ａに設けられた孔は、その内側にボルト１２３の頭部１２３Ｂが丁度嵌りこむような径の円形とされている。第２金具１２２Ｂに設けられた孔は、ボルト１２３のネジ切り部１２３Ａが丁度嵌り合うような径の円形とされている。
このような構造となっているので、ボルト１２３を回転させた場合には、ボルト１２３（のネジ切り部１２３Ａ）はナット１１２Ｂに対して前後動を行うが、ボルト１２３Ａの頭部１２３Ｂは、第１金具１２２Ａの前面に常に密着した状態となる。つまり、この実施形態では、ボルト１２３を任意の方向に回転させることにより、固定Ｌ字金具１１２Ａと、第１金具１２２Ａ及び第２金具１２２Ｂの背中合わせにされた部分との距離を変化させられるようになっている。これは、即ち、この実施形態では、ベース部材１１０に対して、収納部材１２０を前後動させられ、且つ収納部材１２０のベース部材１１０に対する前後位置を任意に位置決めできることを意味する。
なお、可動アーム部１２２の最も後側の端部には、当接部材が幾つかの部品を介して取付けられるが、そのことについては追って説明する。
【００１９】
収納部１２１は、上述したように断面矩形の筒状である。収納部１２１の幅（前後方向の長さ）は、水平材２４０の幅よりもやや小さくされており、その長さはベース部材１１０よりやや短くなるようにされている。
収納部材１２０の収納部１２１中には、上下方向での移動を行えるようにして収納部１２１に取付けられた移動体１２４が収納されている。
移動体１２４は、断面コの字型をしており、略コの字型に形成され、その開口が上向きになるようにして収納部１２１の内側に嵌め込まれている。
【００２０】
移動体１２４の両端には、断面略コの字型の金具を移動体１２４の上から嵌め合わせて固定することによって形成された格納部１２６が設けられている。格納部１２６の上面と下面には、図示を省略するが、孔が穿たれている。２つの孔は円形であり、この実施形態では、必ずしもその限りではないが、同径であり、平面視した場合に対応した位置に存在する。
格納部１２６は、可動部材１２７によって縦方向に貫かれている。可動部材１２７は、後述するような方法で上下動を行うものであり、それが下方に下がった場合に、その下端にある後述の突出片により水平材２４０の下方に置かれた枠体３００の上面３１０を押圧するものである。
可動部材１２７は、その外周にネジ切りのされたボルト部１２７Ａと、その上端に設けられたヘッド部１２７Ｂと、その下端に設けられた円盤状の係止部１２７Ｃとを備えている。係止部１２７Ｃの下面には、鋭い突出片１２７Ｄが設けられている。突出片１２７Ｄの形状はこの実施形態では円錐形とされているが、必ずしもその限りでなく、木材に押接されたときに木材に食い込むような形状であれば足りる。突出片１２７Ｄは単数でも複数でもよい。
ボルト部１２７Ａは、格納部１２６の内側に収納されたその内周面にネジ切りのされたナット１２７Ｅと螺合されている。また、ボルト部１２７Ａの周囲には、第１バネ１２７Ｆが設けられている。自然な状態の第１バネ１２７Ｆの長さは、ナット１２７Ｅの上面から格納部１２６の内側の上面までの距離よりも本来は長い。しかしながら、第１バネ１２７Ｆは、その下端がナット１２７Ｅの上面に、その上端が格納部１２６の内側の上面にそれぞれ当接しているので、ナット１２７Ｅと螺合したボルト部１２７Ａを含む可動部材１２７は、所定の弾性力をもって下方に付勢された状態となる。
ベース部材１１０を水平材２４０に固定したとき、可動部材１２７のボルト部１２７Ａは、格納部１２６の下面、格納部１２６の下面の下方に位置するベース部材１１０、ベース部材１１０と固定されているベース部材１１０の下方に位置する水平材２４０を貫通した状態となる。水平材２４０の厚さの如何によらず、また、水平材２４０の下方に枠体３００が置かれた場合における水平材２４０の下面から枠体３００の上面３１０までの距離の如何によらず、突出片１２７Ｄによる枠体３００の上面３１０の押圧を行えるようにするため、ベース部材１１０の下方に露出する可動部材１２７の長さを変化させることができるようにされている。それは、可動部材１２７を回転させることによって、ナット１２７Ｅに対してボルト部１２７Ａを上下方向に相対動させることによって成しえる。
なお、格納部１２６の下面に設けられる孔は、ボルト部１２７Ａの径と同じで構わないが、ベース部材１１０と、水平材２４０に設けられる可動部材１２７を貫通させるための孔は、図７に示したような前後方向（図７の上下方向）に縦長な孔となる。後述するように可動部材１２７は、収納部材１２０の前後動によって前後に動くので、上述の２つの孔の長さ方向の長さＬは、収納部材１２０の前後動によって前後動する可動部材１２７と、ベース部材１１０又は水平材２４０が干渉しないような長さとされる。また、特に上述の２つの孔のうち水平材２４０に設けられる孔の幅方向の長さｌは、遊技機着脱装置１００の取付け時に、係止部１２７Ｃが通過できるような長さとする。
収納部１２１の内部には、また、第２バネ１２８（図６）がある。第２バネ１２８は、その上端を収納部１２１の内側の上面と、その下端を移動体１２４の内側の下面と接続されている。第２バネ１２８は、力をかけていない状態からかなり伸ばした状態で、その両端を収納部１２１と移動体１２４にそれぞれ接続されている。これにより、移動体１２４には常に、収納部１２１の内側の上面に引き寄せられるような力がかかることになる。
【００２１】
収納部１２１の内部には、また、楕円形を長径と短径とに沿って４分割したうちの一つの形状に近い形状とされたカム１２５が設けられている。このカム１２５は、収納部１２１をその幅方向で貫く回転可能な軸１１３に接続されており、軸１１３を中心として９０度程度回転できるようにされており、また、その短径が略鉛直となる向きになった位置（図６（Ａ）に示された位置）と、その長径が略鉛直となる向きになった位置（図６（Ｂ）に示された位置）という２つの位置で固定できるようにされている。
軸１１３の後側の端部には、レバー１１４が着脱自在にされている。レバー１１４を図１、図６の矢印で示したように回転させると、軸１１３及びカム１２５が回転するようになっている。レバー１１４と、軸１１３を着脱自在にするには、軸１１３のいずれかの端部に断面六角形の凹部を設けるとともに、レバー１１４の基端のいずれかの面に、その凹部に嵌って係止されるような断面六角形の凸部を設けるなど、適当な公知技術を用いればよい。
上述したように、移動体１２４には常に上向きの力が働いている。したがって、移動体１２４が上下方向に移動したとしても、移動体１２４は上方向に位置するカム１２５の先端に強く押接されることになる。このようにして、カム１２５の先端が、移動体１２４の下側の部材の上側の面に当接した状態が常に保たれる。
カム１２５には、その弧の長径と交わる部分と、その弧の短径と交わる部分に直線的な部分を作ってある。したがって、レバー１１４の操作によってカム１２５を回転させると、カム１２５は、図６の（Ａ）の状態と、図６の（Ｂ）の状態となったときに、その弧の長径と交わる部分と、短径と交わる部分に作ってある直線的な部分が移動体１２４の内側の下面に当接して安定した状態となる。これにより、カム１２５と移動体１２４は、図６の（Ａ）の状態と、図６の（Ｂ）の状態となったときに安定して固定された状態となる。
【００２２】
上述したように、可動アーム部１２２の最も後側の端部には、当接部材が幾つかの部品を介して取付けられる。その状態を示したのが、図８である。
図８に示したように、可動アーム１２２の後側（図８の左方向）の端部には、下方に向かって折れ曲がる、断面Ｌ字型の懸垂金具１４１が、例えば、ネジ止めによって取付けられる。懸垂金具１４１の下方に向かって延びる部分には、孔１４１Ａが穿たれている。その孔１４１Ａの後側には、その内周面にネジ切りのされたナット１４２が配されている。そして、ナット１４２と、孔１４１Ａを貫通するようにして、断面円形の支持棒１４３が配されている。支持棒１４３は、その外周面にネジ切りがされており、ナット１４２と螺合している。支持棒１４３の前側の端部には、この実施形態では硬質なゴムによって形成の支持棒１４３よりも大径とされた円筒形の当接部材１４４が支持棒１４３に対して同軸の状態となるようにして取付けられている。
当接部材１４４は、回転させることによってナット１４２に対して前後動する支持棒１４３の前後動に応じて前後動する。当接部材１４４は、図８に示したように、枠体３００が配されたときに、枠体３００の上側の部材に後側から当接させられるようになっている。当接部材１４４を前後動させられるようにしているのは、当接部材１４４の枠体３００に対する押接の程度を調整できるようにするためである。
【００２３】
次いで、この遊技機着脱装置１００の使用方法について説明する。
遊技機着脱装置１００を使用するにあたっては、まず、遊技機着脱装置１００を島２００の水平材２４０に固定する。
上述したように、遊技機着脱装置１００は、水平材２４０の上側の面に固定される。遊技機着脱装置１００を水平材２４０に固定する場合には、水平材２４０に予め設けられた２つの孔に遊技機着脱装置１００が有する可動部材１２７を貫通させてから、ベース部材１１０を適当な方法で水平材２４０に固定する。
遊技機着脱装置１００の水平材２４０への取付けに前後して、水平材２４０の下方に突出する可動部材１２７の長さを調整するために、必要に応じて、可動部材１２７を回転させる。水平材２４０の下方に突出する可動部材１２７の長さの調整は、遊技機着脱装置１００の水平材２４０への固定に先んじて行っても構わない。
次に、支持棒１４３を回転させて、当接部材１４４の前後方向の位置を、適当に位置決めする。当接部材１４４は、テーブル２３０に載った状態で前側から押し込まれた枠体３００の背面がそこに止まると好ましい位置に、その先端が位置するようにする。なお、当接部材１４４の位置決めは、遊技機着脱装置１００の水平材２４０への固定に先んじて行っても構わない。
次に、遊技機着脱装置１００と、両側の柱部材２２０と、テーブル２３０に囲まれた空間に、遊技機４００の固定された枠体３００を嵌め込む。このとき、枠体３００は、枠体３００の下面３２０がテーブル２３０の上側の面に当接するようにして、テーブル２３０上に載置される。当接部材１４４の位置が予め調整してあるので、２つの当接部材１４４の双方に枠体３００の背面を当接させるだけで、枠体３００及び遊技機４００は、前後方向における適当な位置に位置決めされることになる。
なお、この状態では、カム１２５は、図６（Ａ）に示された位置に位置するようにされている。この状態では、カム１２５の弧の短径と交わる部分が、移動体１２４の内側の下面に当接している。
この状態で、遊技機着脱装置１００の所定の部位（例えば、固定アーム部１１２）と、枠体３００の所定の部位（例えば、枠体３００の左右の部材、或いは上の部材）とを、紐などの線状体で適当に結んでおくか、遊技機着脱装置１００の所定の部位に結んだ線状体を枠体３００に引っ掛けておくとよい。これは、遊技機着脱装置１００による枠体３００の固定を解除したときに枠体３００の転倒を防止できる点で有用である。
次いで、軸１１３に取付けたレバー１１４を操作して、カム１２５を回転させる。カム１２５が回転し、第２バネ１２８からの力に抗してその全体が押し下げられて移動体１２４は下方向に移動する。これにより、カム１２５は、図６（Ｂ）に示された位置に位置することになる。この状態では、カム１２５の弧の長径と交わる部分が、移動体１２４に当接することになる。
移動体１２４の下方向への移動に伴って、移動体１２４の両端に設けられた格納部１２６も下方に下がる。それにより、格納部１２６に取付けられた可動部材１２７も下方に下がり、可動部材１２７の先端の突出片１２７Ｄが枠体３００の上面３１０に食い込んで枠体３００の上面３１０を下方向に押圧する。枠体３００が木製又はアルミ製であれば、突出変１２７Ｄは問題なく枠体３００の上面３１０に食い込む。それにより、枠体３００は、テーブル２３０と可動部材１２７によって挟持され、島２００に固定されることになる。このとき、枠体３００の上面３１０の位置が予定された位置よりも多少上側にあったとしても、枠体３００の固定には問題は生じない。そのような場合には、突出片１２７Ｄの設けられた係止部１２７Ｃは、ナット１２７Ｅが第１バネ１２７Ｆによる下向きの付勢力に抗して上方に上がることにより、上方向に多少移動するからである。
枠体３００を島２００に固定したら、レバー１１４を軸１１３から取外す。この状態で、必要であれば、ボルト１２３を回転させ、ボルト１２３をナット１１２Ｂに対して前後動させ位置決めすることにより、収納部材１２０を前後方向で適当に位置決めする。そうすることにより、可動部材２７によって固定された枠体３００の上面が前後動させられるので、遊技機４００の傾斜角の調整が可能となる。なお、かかる収納部材１２０の位置決めは、収納部材１２０の両端に位置する２つのボルト１２３の双方を適切に回転させることにより、正確に行うことができる。
以上のようにして、枠体３００の島２００への固定が終了する。
枠体３００を島２００から取外すときは、細々とした調整は不要であるが、基本的には上述の作業を逆に行えばよい。
【図面の簡単な説明】
【００２４】
【図１】遊技機着脱装置を用いて、島に枠体を固定した状態を示す正面図。
【図２】遊技機着脱装置を用いて、島に枠体を固定した状態を示す左側面図。
【図３】枠体を示す斜視図。
【図４】図１に示した遊技機着脱装置の平面図。
【図５】図１に示した遊技機着脱装置の斜視図。
【図６】図１に示した遊技機着脱装置の内部構造、及び動作を概略的に示す図。
【図７】水平材及びベース部材に設けられた孔を示す図。
【図８】可動アーム部への当接部材の取付け方を示す側面図。
【符号の説明】
【００２５】
１００  遊技機着脱装置
１１０  ベース部材
１１３  軸
１１４  レバー
１２０  収納部材
１２１  収納部
１２２  可動アーム部
１２３  ボルト
１２４  移動体
１２５  カム
１２６  格納部
１２７  可動部材
１２７Ｆ  第１バネ
１２８  第２バネ
２００  島
２１０  基礎材
２２０  柱部材
２３０  テーブル
２４０  水平材
３００  枠体
３１０  上面
３２０  下面
４００  遊技機
【図１】
0005368710.tif 000002
【図２】
0005368710.tif 000003
【図３】
0005368710.tif 000004
【図４】
0005368710.tif 000005
【図５】
0005368710.tif 000006
【図６】
0005368710.tif 000007
【図７】
0005368710.tif 000008
【図８】
0005368710.tif 000009